(57)【特許請求の範囲】
【請求項１】
発電機と、発電機からの排熱で駆動する吸収冷温水機とを有し、該吸収冷温水機と発電機との間に熱媒体を介して熱交換をする熱交換器を設け、該熱媒体が、前記発電機の冷却回路と該熱交換器との間を循環する熱媒体Ａと、前記吸収冷温水機の再生器と該熱交換器との間を循環する熱媒体Ｂとからなり、前記熱媒体Ａで熱媒体Ｂを加熱し、該熱媒体Ａ自体は冷却される構成としたコ・ジェネレーションシステムにおいて、前記熱媒体Ｂは、前記熱交換器で蒸発し、媒体蒸気の形で前記吸収冷温水機の再生器に導入され、該再生器で凝縮して液化することにより、前記熱交換器と再生器の間を自然循環する媒体を用い、前記再生器から熱交換器に戻る媒体の液配管中に流量制御弁を設けたことを特徴とするコ・ジェネレーションシステム。
【請求項２】
前記流量制御弁は、熱媒体Ｂの圧力又は飽和温度を目標値に制御するように調節することを特徴とする請求項１記載のコ・ジェネレーションシステム。
【請求項３】
前記流量制御弁は、熱媒体Ａの温度を目標値に制御するように調節することを特徴とする請求項１記載のコ・ジェネレーションシステム。
【請求項４】
前記吸収冷温水機と熱交換器を循環する熱媒体Ｂの蒸気配管に、該熱媒体Ｂの蒸気を受入れ、水を加熱する熱交換器を設け、該熱交換器を出る熱媒体Ｂの液は吸収冷温水機の再生器と流量制御弁の間に戻し、また、被加熱側の水の温度制御は、被加熱水の熱交換器のバイパス量を調節することで行うことを特徴とする請求項１、２又は３記載のコ・ジェネレーションシステム。
【発明の詳細な説明】
【０００１】
【発明の属する技術分野】
本発明は、コ・ジェネレーションシステムに係り、特に、燃料電池、あるいはエンジン駆動発電機等の発電機の排熱で駆動する排熱駆動吸収冷温水装置を用いるコ・ジェネレーションシステムに関する。
【０００２】
【従来の技術】
従来、発電設備の熱回収方法として、廃熱を吸収冷凍機の再生器で回収することは知られていた。
また、吸収冷凍機では、冷房運転時は、吸収器、凝縮器に冷却水を通水し、発生器に熱源となる温水（発電設備のエンジン駆動発電機や燃料電池の排出熱など）を通し、蒸発器から、冷房用の冷水を取り出す。冷房サイクルは通常の吸収冷凍サイクルで運転される。
一方、暖房の場合は、熱源となる温水と、暖房用温水とを直接、熱交換させて得ることになる。
【０００３】
また、エンジン駆動発電機や燃料電池等の発電機の排出熱を熱源として運転する吸収冷凍装置では、吸収冷凍装置の役目として冷水を製造する以外に、熱源である排出熱を冷却する役目がある。
ところが、発電機で発電する電気の使用量と、吸収冷凍機で必要とする排出熱量とは、一般には一致しない。例えば、発電量が多く、冷房負荷が小さい場合、排出熱量が多く、吸収冷凍機で排出熱の冷却する役目が果せない。
このような、熱源温度が高すぎる場合には、ラジエータ（あるいは冷却器）を用いて、熱源の熱を放出するのが一般的であるが、冷却し過ぎになる等の問題があった。
【０００４】
【発明が解決しようとする課題】
本発明は、冷房負荷及び暖房負荷がなくても、発電機の冷却媒体の温度を一定に保持でき、温度制御された冷水、温水を取り出すことができるコ・ジェネレーションシステムを提供することを課題とする。
【０００５】
【課題を解決するための手段】
上記課題を解決するために、本発明では、発電機と、発電機からの排熱で駆動する吸収冷温水機とを有し、該吸収冷温水機と発電機との間に熱媒体を介して熱交換をする熱交換器を設け、該熱媒体が、前記発電機の冷却回路と該熱交換器との間を循環する熱媒体Ａと、前記吸収冷温水機の再生器と該熱交換器との間を循環する熱媒体Ｂとからなり、前記熱媒体Ａで熱媒体Ｂを加熱し、該熱媒体Ａ自体は冷却される構成としたコ・ジェネレーションシステムにおいて、前記熱媒体Ｂは、前記熱交換器で蒸発し、媒体蒸気の形で前記吸収冷温水機の再生器に導入され、該再生器で凝縮して液化することにより、前記熱交換器と再生器の間を自然循環する媒体を用い、前記再生器から熱交換器に戻る媒体の液配管中に流量制御弁を設けることとしたものである。
【０００６】
前記コ・ジェネレーションシステムにおいて、流量制御弁は、熱媒体Ｂの圧力又は飽和温度を目標値に制御するように調節するか、前記熱媒体Ａの温度を目標値に制御するように調節することができる。
また、前記吸収冷温水機と熱交換器を循環する熱媒体Ｂの蒸気配管に、該熱媒体Ｂの蒸気を受入れ、水を加熱する熱交換器を設け、該熱交換器を出る熱媒体Ｂの液は吸収冷温水機の再生器と流量制御弁の間に戻し、また、被加熱側の水の温度制御は、被加熱水の熱交換器のバイパス量を調節することで行うことができる。
【０００７】
【発明の実施の形態】
燃料電池など、コ・ジェネレーションシステムは基本的に発電が主目的であり、副次的に熱が利用できる。この熱利用の際に、電気を消費することは、極力避ける必要がある。
本発明では、発電機側の熱を吸収冷温水機の再生器に輸送するのに、顕熱ではなく、潜熱で行い、その媒体の移動をポンプではなく、熱による自然循環とし、ポンプ動力を使用しないものとしている。
本発明に使用できる熱媒体Ｂとしては、発生量の熱媒体として使用して液化するもの例えば、ＨＣＦＣ、ＨＦＣ系の熱媒が利用できるが、中でもＲ123 が温度、圧力から適当である。
また、発電機側の冷却水の温度は、冷却して供給する必要があるが、低下させ過ぎると問題になることがあり、システム上、ある温度範囲に収めるのが一般的である。例えば、燃料電池などの様に、反応温度をこの冷却水で冷却制御している場合、冷却水温度を下げ過ぎると、反応速度が遅くなり、発電量の減少という悪い影響が出る。
【０００８】
本発明では、発電機側と吸収冷温水機との間の熱交換器に供給する媒体Ｂの液量を調節することで、発電機側から除去する熱量、あるいは発電機側の温度を制御することができる。
また、熱媒体Ｂの蒸気側に熱交換器（給湯器）を設ける場合、湯温の制御は、給湯器に導く湯量とバイパス量の比率を変えることで調節することができる。
本発明のコ・ジェネレーションシステムに用いることができる発電機は、燃料電池、あるいはエンジン駆動発電機であるが、燃料電池の例としては、例えば特表平８−５０２８５５号公報に記載されている低温度の個体ポリマー燃料電池の積み重ねを用いて、ガス状の及び／又は液体状の炭化水素燃料からの化学エネルギーを、電気的エネルギーに変換する燃料電池を用いることができる。
【０００９】
次に、図面を用いて本発明を詳細に説明する。
図１は、本発明のコ・ジェネレーションシステムの一例を示す概略構成図である。
図１において、吸収冷温水装置の構成要素で、Ｇは発生器、Ａは吸収器、Ｅは蒸発器、Ｃは凝縮器、Ｈ1 は溶液熱交換器、Ｖ1 は冷媒蒸気弁、Ｖ2 は冷媒弁、Ｖ3 は冷却水弁、ＰＩは冷却水制御ポンプ、１１，１２はポンプ、ＴH は熱源温度検出器、ＴC は冷水温度検出器、１７は冷却塔、管１〜４は溶液通路、管５〜６は冷媒通路、管８は冷媒蒸気配管、管１３，１４は熱源通路、管１８は冷水通路、１９〜２０は冷却水通路であり、また、ＦＧは燃料電池、Ｈ2 は燃料電池ＦＧと発生器Ｇを結ぶ熱交換器、２１は燃料電池の冷却用熱媒体Ａの循環路、Ｖ4 は熱媒体Ｂの蒸気弁である。
【００１０】
次に、この装置を用いた冷房サイクルを説明する。
燃料電池ＦＧを運転することにより、燃料電池が発熱し、この発熱を冷却するために冷却用の熱媒体Ａが、熱交換器Ｈ2 を通って、熱媒体Ｂにより冷却されて循環している。固体ポリマー燃料電池の場合熱媒体Ａは約８０℃程度で戻し、熱媒体Ｂは７５℃程度とすることが多い。
一方、熱交換器Ｈ2 では熱媒体Ｂは、熱媒体Ａにより加熱されて気化し、媒体蒸気Ｂとして熱源通路１４を通り発生器Ｇに入り、吸収冷温水機内を循環する希溶液を加熱し、自らは冷却されて熱媒体液Ｂとして通路１３から熱交換器Ｈ2 に循環する。
熱媒体Ｂの流れをスムーズにし、逆流を起こさないようにするため、熱媒体Ｂは発生器Ｇの下部から取り出し、熱交換器Ｈ2 の下部から導入し、間には液シール（Ｕシール）を設けるのがよい。
【００１１】
通路１３には媒体液Ｂの流量を制御する流量制御弁Ｖ4 が設けられ、熱媒体Ｂの圧力又は飽和温度を目標値に制御し、また熱媒体Ａの温度を目標値に制御している。即ち、熱媒体Ａの温度が高い場合は弁Ｖ4 を開けて熱交換器Ｈ2 に導入される熱媒体Ｂの量を増大させて、より多くの熱を熱媒体Ｂ側に移動させて熱媒体Ａの温度を低下させ、逆に熱媒体Ａの温度が低い場合は弁Ｖ4 を閉方向に移動して、熱媒体Ｂに移動する熱量を減少させて、熱媒体Ａの温度を維持するように調節する。
そして、吸収冷温水機では、冷媒を吸収した希溶液は吸収器Ａから管１を通り、ポンプ１１により熱交換器Ｈ1 の被加熱側に送られ、熱交換により加温された希溶液は管２を通り発生器Ｇに導入される。発生器Ｇでは、管１４からの媒体蒸気Ｂにより加熱されて、吸収した冷媒蒸気を蒸発して濃縮される。濃縮された濃溶液は管３から熱交換器Ｈの加熱側を通って、管４から吸収器Ａに導入され再び冷媒を吸収して希溶液となって管１から循環される。
【００１２】
一方、発生器Ｇで発生した冷媒蒸気は凝縮器Ｃに至り、凝縮器Ｃ中の冷却水によって冷却されて凝縮し、管５から蒸発器Ｅに導入される。蒸発器Ｅでは、冷媒は冷水から熱を奪い、冷凍効果を発揮して蒸発する。蒸発した冷媒蒸気は吸収器Ａで溶液に吸収される。吸収の際の吸収熱は吸収器Ａを流れる管１９からの冷却水により冷却される。
このような冷房サイクルにおいて、冷水温度が冷水目標温度より低い場合は、凝縮器から蒸発器に導く冷媒蒸気配管８の冷媒蒸気弁Ｖ1 の開度を調節することにより制御し、次いで、冷水温度検出器ＴC 及び熱源温度検出器ＴH により、冷水温度及び熱源温度を検出し、その検出値に基づいて、冷媒蒸気弁Ｖ1 を調節する。また、冷水温度が目標温度より高い場合は、冷媒蒸気弁Ｖ1 は全閉とする。そして、熱源温度が熱源目標温度より低い場合は、冷水温度に関係なく、吸収器及び凝縮器に通す冷却水の流量を減少させ、逆に目標温度より高い場合は冷水温度に関係なく冷却水流量を増加させる。そして、冷水温度の制御は冷媒蒸気弁で行う。
【００１３】
次に、暖房サイクルについて説明する。
暖房サイクルでは、発生器Ｇで溶液が熱源により加熱され、発生した冷媒蒸気を凝縮器Ｃから冷媒蒸気弁Ｖ1 を経由して蒸発器Ｅに導き、蒸発器Ｅで凝縮させることにより温水を得る。凝縮した冷媒液は、蒸発器Ｅから溶液系（吸収器Ａ又は吸収器出口配管１）に戻す。
蒸発器Ｅから溶液系に戻す方法としては、蒸発器Ｅをオーバーフローさせて吸収器Ａに流すか、或いは、蒸発器Ｅから吸収器出口配管１に直接接続した配管の冷暖房切替弁（希釈弁）を開にして行う。
【００１４】
このような暖房サイクルにおいては、次のように制御する。まず、温水温度が目標温度より高い場合は、冷媒蒸気弁は閉方向に温水温度で制御し、温水温度が目標温度より低い場合は、熱源温度によって制御方法が異る。すなわち、熱源温度が目標温度より低い場合は冷媒蒸気弁を熱源温度で制御し、熱源温度が目標より高い場合は冷媒蒸気弁を開方向に温水温度によって制御する。
一方、冷却水流量は、熱源温度が目標温度より低い場合は０とし、目標温度より高い場合は、熱源温度によって冷却水流量を調節し、熱源の熱媒体Ｂの流量制御弁Ｖ4 は、常に熱媒体Ａの温度を目標値に制御するように調節する。
【００１５】
図２に、本発明のコ・ジェネレーションシステムの他の例の概略構成図を示す。
図２においては、図１の装置の熱媒体Ｂの循環路１３、１４に温水用の熱交換器（給湯器）Ｈ3 を設けたものである。
即ち、熱交換器Ｈ2 から出る熱媒体Ｂの蒸気配管１４に、バイパス管２２を接続し、該バイパス管を給湯用の熱交換器Ｈ3 の加熱側を通し、熱媒体Ｂの液を熱媒体Ｂの液配管１３の流量制御弁Ｖ4 の前に接続する。そして、熱交換器Ｈ3 の被加熱側には、被加熱水が通る流路２３に３方弁Ｖ5 と、熱交換器Ｈ3 をバイパスするバイパス管２４を設けており、この熱交換器Ｈ3 をバイパスする被加熱水のバイパス量を調節することにより、被加熱側の水の温度制御を行っている。
【００１６】
【発明の効果】
本発明によれば、発電機側の冷却水の温度を、発電機側と吸収冷温水機との間に設けた熱交換器に供給する媒体Ｂの液量で調節しており、発電機側の温度を一定範囲に維持することができる。
また、吸収冷温水機側の媒体Ｂとして、熱交換器で気化して媒体蒸気として再生器中に導入し、再生等で凝縮して液化する媒体を用いているため、ポンプを設けることなく熱による自然循環としているのでポンプ動力を節約できる。
【図面の簡単な説明】
【図１】本発明の一例を示すコ・ジェネレーションシステムの概略構成図。
【図２】本発明の他の例を示すコ・ジェネレーションシステムの概略構成図。
【符号の説明】
Ｇ：発生器、Ａ：吸収器、Ｅ：蒸発器、Ｃ：凝縮器、Ｈ1 ：溶液熱交換器、Ｈ2 ：熱源熱交換器、Ｈ3 ：温水用熱交換器、Ｖ1 ：冷媒蒸気弁、Ｖ2 ：冷媒弁、Ｖ3 ：冷却水弁、Ｖ4 ：熱媒体Ｂ蒸気弁、Ｖ5 ：被加熱水バイパス量制御弁、ＴH ：熱源温度検出器、ＴC ：温度検出器、ＰＩ：冷却水制御ポンプ
１〜４：溶液通路、５，６：冷媒通路、８：冷媒蒸気配管、１１，１２：ポンプ、１３，１４：熱媒体Ｂ通路、１７：冷却塔、１８：冷温水通路、１９〜２０：冷却水通路、２１：熱媒体Ａの循環路、２２：熱媒体Ｂバイパス通路、２３：被加熱水通路、２４：被加熱水バイパス通路
【図１】
0003744689.tif 000002
【図２】
0003744689.tif 000003